(57)【要約】【課題】本発明は、設定した上下位置を確実に固定することができるフロア用支持脚及びその設定方法を提供することにある。【解決手段】フロア用支持脚１は、床面に設置されるベースプレート２に立設された支柱３と、支柱３に螺合された調整ナット４と、調整ナット４の上下位置に基づいて上下位置が設定されるとともにフロアが載置される台座５と、支柱３の外周面に形成された雄ネジ部を部分的に潰して調整ナット４を回転不能な状態に設定する止めネジ７とを備えている。【選択図】図１
2015048653.tif 000002
【特許請求の範囲】
【請求項１】
床面に設置されるベースプレートに立設された支柱と、前記支柱に螺合された調整ナットと、前記調整ナットの上下位置に基づいて上下位置が設定されるとともにフロアが載置される台座とを備えているフロア用支持脚において、前記支柱の外周面に形成された雄ネジ部を変形させて前記調整ナットを回転不能な状態に設定する変形手段を備えているフロア用支持脚。
【請求項２】
前記変形手段は、前記調整ナットの側面に前記支柱に向かって形成されたネジ穴に螺合される止めネジからなり、前記止めネジの先端を前記雄ネジ部に押し当てて部分的に潰すように変形させる請求項１に記載のフロア用支持脚。
【請求項３】
床面に設置されたベースプレートに立設された支柱に螺合した調整ナットを回転させ、フロアが載置される台座を所定の上下位置に設定するように前記調整ナットの上下位置を調整し、前記支柱の外周面に形成された雄ネジ部を変形させて前記調整ナットを回転不能な状態に設定するフロア用支持脚の設定方法。
【請求項４】
前記調整ナットの側面に前記支柱に向かって形成されたネジ穴に止めネジを螺入して前記止めネジの先端を前記雄ネジ部に押し当てて部分的に潰すように変形させる請求項３に記載のフロア用支持脚の設定方法。
【発明の詳細な説明】
【技術分野】
【０００１】
本発明は、建物の床面上に敷設されるフロアを支持して床面とフロアとの間に空間を確保するフロア用支持脚及びその設定方法に関する。
【背景技術】
【０００２】
オフィスビル等の建物では、室内に複写機、パソコン等の多数の電子機器を配置しており、これらの電子機器の配線を収納するため床面上にフロアを敷設するフリーアクセスフロアが普及してきている。フリーアクセスフロアでは、フロアを支持する支持脚を建物の床面に設置して、床面とフロアとの間に配線を収納する空間を確保することで、フロアの上面に電子機器の配線が露出することがなくなり、快適なオフィス環境を実現することができる。
【０００３】
建物の床面は、特に床面積が大きい場合などに、水平度に誤差が生じやすくなる。そのため、フリーアクセスフロアでは、フロアを支持する支持脚にフロアの上下位置を調整する機能を持たせ、フロア面が水平状態に設定されるように支持脚を調整してフロアを敷設している。こうした調整機能を有する支持脚としては、例えば、特許文献１では、ベースプレートに下端を固定されて外周面に雄ねじを形成された支柱と、支柱に螺合するレベル調整ナットと、レベル調整ナットの外周面に嵌合するキャップ部を下端に備えるパイプ支柱とを備えたフロアパネルの支持脚が記載されている。この従来例では、支柱に対してレベル調整ナットの上下位置を調整することで、フロアパネルを水平状態に設定することができる。また、支持脚には、レベル調整ナットの側面に形成されたネジ穴及びキャップ部の側面形成された貫通穴に螺入する横ビスが設けられており、レベル調整されたレベル調整ナットにキャップ部を嵌合するようにパイプ支柱をセットし、レベル調整ナットをパイプ支柱とともに支柱に固定してガタツキを抑えるようにした点が記載されている。
【０００４】
特許文献２では、パネル受台の下面に、挿入孔及び挿入孔とは中心のずれたネジ孔を連設した長ナットを固着し、支持脚に設けたネジ部を長ナットのネジ孔に捩じ込んで、長ナットの挿入孔内に支持脚を差し込んだとき、支持脚のネジ部の側周面の少なくとも一部分が長ナットの挿入孔の内壁に接触するようにした点が記載されている。この従来例では、長ナットをネジ部に螺合させることで、パネル受台の上下位置を調整して水平状態に設定し、長ナットとネジ部とが接触した状態となることで、パネル受台のガタツキが防止されるようになっている。
【０００５】
特許文献３では、基礎床面に略軸状に立設される支柱と、支柱の上端側に略キャップ状に被せられるパネル支持台と、支柱に螺合されてパネル支持台を下方から受ける高さ調整ナットとを備え、パネル支持台における略キャップ状の部分に、支柱と交差する方向へ固定ネジを貫挿させ、固定ネジと高さ調整ナットとを係合させるフリーアクセスフロア用支持脚が記載されている。この従来例では、支柱に螺合された高さ調整ナットの上下位置を調整することで、パネル支持台を水平状態に設定し、固定ネジを高さ調整ナットと係合させることで、パネル支持台が支柱から上方へ抜けないようにしている。
【先行技術文献】
【特許文献】
【０００６】
【特許文献１】特開平８−１５８６０５号公報
【特許文献２】特開平１１−３１１０１５号公報
【特許文献３】登録実用新案第３１１０１６３号公報
【発明の概要】
【発明が解決しようとする課題】
【０００７】
上述した特許文献では、床面に設置される支柱及びフロアを支持する台座を、雄ネジ及び雌ネジを螺合させた上下位置調整機構により調整することで、台座により支持されたフロアを水平状態に設定するようになっている。こうした上下位置調整機構では、雄ネジのネジ山に雌ネジのネジ溝が係合して支持しているため、支持脚に加わる振動や台座に対して偏在して加わる荷重により、雄ネジと雌ネジとが互いに少しずつ回転するように作用し、次第に台座の上下位置が設定位置からずれるようになる。そのため、フロアを敷設した後にフロアの水平状態が維持できなくなるといった課題がある。
【０００８】
特許文献１及び３では、横ビスをレベル調整ナット又は高さ調整ナットに螺合し、横ビスの先端を支柱に押し当てるようにしているが、横ビス自体が支持脚に加わる振動等により緩みが生じるようになり、最悪の場合は脱落するおそれもある。そのため、横ビスを支柱に押し当てるだけでは、上述した課題を解決することは難しい。特許文献２では、長ナットをネジ部に接触させているが、やはり支持脚に加わる振動等により長ナットがネジ部に対して回転しないようにすることは難しい。上下位置調整機構の雌ネジ及び雄ネジを上下位置設定後に接着剤により固定することも考えられるが、長期的にみると、支持脚に加わる振動等による雄ネジ及び雌ネジの回転を確実に防止することは困難である。
【０００９】
そこで、本発明は、設定した上下位置を確実に固定することができるフロア用支持脚及びその設定方法を提供することにある。
【課題を解決するための手段】
【００１０】
本発明に係るフロア用支持脚は、床面に設置されるベースプレートに立設された支柱と、前記支柱に螺合された調整ナットと、前記調整ナットの上下位置に基づいて上下位置が設定されるとともにフロアが載置される台座とを備えているフロア用支持脚において、前記支柱の外周面に形成された雄ネジ部を変形させて前記調整ナットを回転不能な状態に設定する変形手段を備えている。さらに、前記変形手段は、前記調整ナットの側面に前記支柱に向かって形成されたネジ穴に螺合される止めネジからなり、前記止めネジの先端を前記雄ネジ部に押し当てて部分的に潰すように変形させる。
【００１１】
本発明に係るフロア用支持脚の設定方法は、床面に設置されたベースプレートに立設された支柱に螺合した調整ナットを回転させ、フロアが載置される台座を所定の上下位置に設定するように前記調整ナットの上下位置を調整し、前記支柱の外周面に形成された雄ネジ部を変形させて前記調整ナットを回転不能な状態に設定する。さらに、前記調整ナットの側面に前記支柱に向かって形成されたネジ穴に止めネジを螺入して前記止めネジの先端を前記雄ネジ部に押し当てて部分的に潰すように変形させる。
【発明の効果】
【００１２】
本発明は、上記のような構成を有することで、設定した上下位置を確実に固定することができる。
【図面の簡単な説明】
【００１３】
【図１】本発明に係る実施形態であるフロア用支持脚に関する平面図及び正面図である。
【図２】フロア用支持脚に関する上下方向の概略断面図である。
【図３】フロア用支持脚に関する別の実施形態に関する平面図及び正面図である。
【発明を実施するための形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る実施形態であるフロア用支持脚に関する平面図（図１（ａ））及び正面図（図１（ｂ））である。フロア用支持脚１は、建物の床面Ｂに設置される矩形状のベースプレート２と、ベースプレート２のほぼ中心に立設するように設けられたボルト部材からなる支柱３と、支柱３に螺合して取り付けられる調整ナット４と、調整ナット４の上面に固定されたプレート状の台座５と、台座５の上面に載置されたシート状のクッション部材６とを備えている。
【００１６】
調整ナット４は、六角ナットに形成されて内周面にネジ溝を有する雌ネジ部となっており、支柱３は、外周面にネジ山を有する雄ネジ部となっている。そして、支柱３に調整ナット４が螺合しているので、調整ナット４を支柱３に対して回転させることで、調整ナット４が台座５とともに上下方向に移動して台座５の上下位置を調整することができる。調整ナット４の内径に合わせて台座５の中心部には円形の開口が形成されており、調整ナット４の上下方向の移動に伴い支柱３の上端が台座５の開口に挿入又は離間するようになっている。
【００１７】
台座５は、平面視において円形をベースプレート２の周縁に合わせて切欠いた形状に形成されている。切り欠いて形成された４つの辺部の内側には、打ち抜き加工により上方に向かって折り曲げて略矩形状に形成された位置合せ用の突起部５ａが突設されている。４つの突起部５ａは、それぞれ台座５の上面に対してほぼ直立するように設けられており、長辺方向が台座５の中心に向かうように設定されている。そして、台座５の中心から等距離に配置されてそれぞれ９０度ずつずれるように等間隔に設定されている。そのため、突起部５ａの間に矩形状のフロアパネルＦの角部を挿入してフロアパネルＦの辺部を突起部５ａに沿うように載置して支持することで、フロアパネルＦを容易に位置合せして敷設することができる。そして、台座５の上面に載置されたクッション部材６を介してフロアパネルＦが台座５に敷設されるため、クッション部材６の緩衝作用によりフロアパネルＦの振動等が吸収されるようになる。
【００１８】
図２は、フロア用支持脚１に関する上下方向の概略断面図である。調整ナット４の側面には、支柱３の中心軸に向かって貫通する小径のネジ穴４ａが穿設されており、ネジ穴４ａには、調整ナット４を回転不能とする変形手段である止めネジ７が螺合している。止めネジ７は、六角ボルト状に形成されて先端面が凹形状で杯状に形成されており、止めネジ７をネジ穴に螺入することで、止めネジ７の先端面を支柱３の外周面に押し当てて、外周面のネジ山の一部を潰すように変形させる。ネジ山が潰れることで、ネジ山の間の谷部分が埋まるように変形するようになる。調整ナット４は、ネジ穴４ａの穿設によりネジ溝が部分的に切欠かれた状態となっており、ネジ穴４ａの内側周端ではネジ溝の間に突起状の切欠き断面が形成されている。
【００１９】
調整ナット４は、ネジ溝を支柱３のネジ山に係合させて回転することで螺合しているが、ネジ山が部分的に潰れた変形部分３ａでは、ネジ山の間の谷部分が埋められているため、ネジ穴４ａの内側周端の切欠き断面が変形部分３ａの両側に突き当るようになる。そのため、調整ナット４は、支柱３のネジ山に沿っていずれの方向にも回転することができなくなり、回転不能な状態に設定される。
【００２０】
フリーアクセスフロアを敷設する場合、まず、床面Ｂに所定間隔を空けて複数のフロア用支持脚１を配置し、基準となるフロア用支持脚１の調整ナット４を回転させて台座５の上下位置を調整し、レベラー等により基準位置に設定する。そして、基準となるフロア用支持脚１の台座５の基準位置に合わせて長棒等により他のフロア用支持脚１の台座５の上下位置を調整ナット４を回転して調整する。すべてのフロア用支持脚１の台座５の上下位置を調整した後、調整ナット４に螺合されている止めネジ７を螺入させて支柱３のネジ山を部分的に潰すように変形させ、調整ネジ４を回転不能な状態に設定する。そして、各フロア用支持脚１のベースプレート２を床面Ｂに接着剤等により固定する。フロア用支持脚１を固定した後、矩形状のフロアパネルＦの角部をフロア用支持脚１の台座５の突起部５ａの間に嵌め込むように載置して支持するように取り付けていく。こうして、床面ＢとフロアパネルＦとの間に空間を確保したフリーアクセスフロアが敷設される。
【００２１】
調整ナット４が回転不能な状態に設定されることで、フロアを敷設した後にフロア用支持脚１に振動等が加わった場合でも、調整ナット４が不用意に回転することがなく、設定された上下位置が確実に固定されてフロアの水平状態が維持されるようになる。
【００２２】
上述した例では、止めネジ７を調整ナット４に螺入して先端面を支柱３の外周面に押し当ててネジ山の谷部分を埋めるように変形させているが、ネジ山を変形可能な部材であれば、止めネジ７に代えて変形手段として使用することができる。例えば、先端面が円錐台形状にテーパ状に形成されている止めネジを用いてネジ山を潰すこともできる。
【００２３】
また、調整ナット４を回転不能な状態に設定した後、止めネジを取り外すことも可能である。そのため、止めネジ等の変形手段を他のフロア用支持脚１に使用して調整ナット４を回転不能な状態に設定することもできる。また、調整ナット４の側面に貫通穴を形成しておき、貫通穴に専用の工具を挿し込んで支柱３の外周面のネジ穴を潰すようにして、調整ナット４を回転不能な状態に設定することもできる。
【００２４】
図３は、フロア用支持脚に関する別の実施形態に関する平面図（図３（ａ））及び正面図（図３（ｂ））である。フロア用支持脚１０は、建物の床面Ｂに設置される矩形状のベースプレート１１と、ベースプレート１１のほぼ中心に立設するように設けられたボルト部材からなる支柱１２と、支柱１２に螺合して取り付けられて上下位置を設定する調整ナット１３と、支柱１２の上側に嵌合するパイプ支柱１４を下面に固着したプレート状の台座１５と、台座１５の上面に載置されたシート状のクッション部材１６とを備えている。
【００２５】
調整ナット１３は、六角ナットに形成されて内周面にネジ溝を有する雌ネジ部となっており、支柱１２は、外周面にネジ山を有する雄ネジ部となっている。そして、支柱１２に調整ナット１３が螺合しているので、調整ナット１３を支柱１２に対して回転させることで、調整ナット１３が上下方向に移動して上下位置の調整を行う。台座１５の下面のほぼ中心に垂設されたパイプ支柱１４は、円筒形に形成されており、内径が支柱１２の外径よりわずかに大きく形成されている。そのため、パイプ支柱１４は、下端側から支柱１２に摺動自在に挿着することができる。そして、パイプ支柱１４の下端が調整ナット１３の上面に当接した状態となり、調整ナット１３の上下位置の調整に伴いパイプ支柱１４も上下位置が調整されるため、調整ナット１３を回転させることで、台座１５の上下位置を調整することができる。
【００２６】
台座５は、平面視円形状に形成されており、内側には、台座１５の中心から等距離に配置されてそれぞれ９０度ずつずれるように等間隔に位置合せ用の突起部１５ａが形成されている。突起部１５ａは、打ち抜き加工により上方に向かって折り曲げて略矩形状に形成されて上側に突設されている。４つの突起部１５ａは、それぞれ台座１５の上面に対してほぼ直立するように設けられており、長辺方向が台座１５の中心に向かうように設定されている。突起部１５ａの間に矩形状のフロアパネルＦの角部を挿入してフロアパネルＦの辺部を突起部１５ａに沿うように載置して支持することで、フロアパネルＦを容易に位置合せして敷設することができる。そして、台座１５の上面に載置されたクッション部材１６を介してフロアパネルＦが台座１５に敷設されるため、クッション部材１６の緩衝作用によりフロアパネルＦの振動等が吸収されるようになる。
【００２７】
調整ナット１３の側面には、支柱１２の中心軸に向かって貫通する小径のネジ穴が穿設されており、ネジ穴には、調整ナット１３を回転不能とする変形手段である止めネジ１７が螺合している。止めネジ１７は、六角ボルト状に形成されて先端面が凹形状で杯状に形成されており、止めネジ７と同様に、ネジ穴に螺入して止めネジ１７の先端面を支柱１２の外周面に押し当てることで、支柱１２の外周面のネジ山の一部を潰すように変形させる。ネジ山が潰れることで、ネジ山の間の谷部分が埋まるように変形し、調整ナット１３を回転不能な状態に設定する。
【００２８】
パイプ支柱１４の下端側にも支柱１２の中心軸に向かって貫通する小径のネジ穴が穿設されており、ネジ穴には、止めネジ１７と同様の止めネジ１８が螺合されている。止めネジ１８を螺入させて支柱１２の外周面に押し当ててネジ山を潰すように圧着させた状態にすることで、パイプ支柱１４の抜け止め及び回転防止を図ることができる。
【００２９】
この例においても、調整ナット１３を回転不能な状態に設定するとともにパイプ支柱１４を抜け止め及び回転防止の状態とすることで、フロアを敷設した後にフロア用支持脚１０に振動等が加わった場合でも、調整ナット１３が不用意に回転することはなくなり、パイプ支柱１４が脱落したり回転することもなくなるので、台座１５は、設定された上下位置で確実に固定されてフロアの水平状態が維持されるようになる。
【符号の説明】
【００３０】
１・・・フロア用支持脚、２・・・ベースプレート、３・・・支柱、４・・・調整ナット、５・・・台座、６・・・クッション部材、７・・・止めネジ、１０・・・フロア用支持脚、１１・・・ベースプレート、１２・・・支柱、１３・・・調整ナット、１４・・・パイプ支柱、１５・・・台座、１６・・・クッション部材、１７・・・止めネジ、１８・・・止めネジ
【図１】
2015048653.tif 000003
【図２】
2015048653.tif 000004
【図３】
2015048653.tif 000005